(57)【要約】【課題】収容物を取り出した後の空の箱を装飾物として再利用する。【解決手段】ブランク１０の上面用の平面１１に対し、引起し可能な一対の把手３１、３１を形成し、フラップ１４、１４、１５、１５に取外し可能な打抜きピース３２、３２、３５、３５…を形成する。打抜きピース３２、３２は、スリット３２ｂ、３２ｂを介して組み立てた上、スリット３２ａ、３２ａ…、３１ｂ、３１ｂ…を介して把手３１、３１上に共通に起立させて装着することができる。【選択図】　図１
2004035098.tif 000002
【特許請求の範囲】
【請求項１】
立体的な箱に組み立てるブランクの上面用の平面に対し、互いに平行に引起し可能な一対の把手を形成し、前記ブランクのフラップに取外し可能な打抜きピースを形成してなり、該打抜きピースは、一対の下向きのスリットを前記各把手の上向きのスリットに対応させることにより、前記把手上に共通に起立させて装着し得ることを特徴とする包装用紙器。
【請求項２】
前記ブランクは、それぞれ組合せ用の上向きのスリット、下向きのスリットを有する一対の前記打抜きピースをフラップに形成することを特徴とする請求項１記載の包装用紙器。
【請求項３】
前記ブランクは、前記上面用の平面に対し、引起し可能な装飾ピースを形成することを特徴とする請求項１または請求項２記載の包装用紙器。
【請求項４】
前記ブランクは、取外し可能な装飾用の打抜きピースをフラップに形成し、前記装飾用の打抜きピースの脚部を挿入して起立させる抜孔を前記上面用の平面に形成することを特徴とする請求項１ないし請求項３のいずれか記載の包装用紙器。
【請求項５】
前記ブランクは、前記上面用の平面に裏打ち紙を添付することを特徴とする請求項１ないし請求項４のいずれか記載の包装用紙器。
【発明の詳細な説明】
【０００１】
【発明の属する技術分野】
この発明は、たとえばバースデーケーキやクリスマスケーキなどの包装用に特に好適な包装用紙器に関する。
【０００２】
【従来の技術】
バースデーケーキやクリスマスケーキは、組立式の包装用紙器に収納し、いわゆる持帰り用として販売されるのが普通である。
【０００３】
このような用途に使用する従来の包装用紙器は、表面に美麗な印刷を施した組立箱であり、箱の上面には、引起し可能な持運び用の把手が設けられている。そこで、このものは、ケーキを収納した上、把手をつかんで簡単に持ち運ぶことができる。
【０００４】
【発明が解決しようとする課題】
かかる従来技術によるときは、包装用紙器は、その表面に美麗な印刷が施されているとしても、全体形状が単純な箱であるから、ケーキを出した後の空の箱は、単にゴミとして廃棄されるだけであり、その再利用が全く考慮されていないという問題があった。
【０００５】
そこで、この発明の目的は、かかる従来技術の問題に鑑み、ブランクのフラップに形成する取外し可能な打抜きピースを把手上に起立させることによって、立体的な華やかな雰囲気の装飾物として有効に再利用することができる包装用紙器を提供することにある。
【０００６】
【課題を解決するための手段】
かかる目的を達成するためのこの発明の構成は、立体的な箱に組み立てるブランクの上面用の平面に対し、互いに平行に引起し可能な一対の把手を形成し、ブランクのフラップに取外し可能な打抜きピースを形成してなり、打抜きピースは、一対の下向きのスリットを各把手の上向きのスリットに対応させることにより、把手上に共通に起立させて装着し得ることをその要旨とする。
【０００７】
なお、ブランクは、それぞれ組合せ用の上向きのスリット、下向きのスリットを有する一対の打抜きピースをフラップに形成することができ、上面用の平面に対し、引起し可能な装飾ピースを形成することができ、さらに、取外し可能な装飾用の打抜きピースをフラップに形成し、装飾用の打抜きピースの脚部を挿入して起立させる抜孔を上面用の平面に形成することができる。
【０００８】
また、ブランクは、上面用の平面に裏打ち紙を添付してもよい。
【０００９】
【作用】
かかる発明の構成によるときは、ブランクのフラップに形成する打抜きピースは、下向きのスリットを箱の上面の把手の上向きのスリットに対応させることにより、一対の把手の双方に共通に跨がせるようにして、把手上に安定に起立させて装着することができる。すなわち、打抜きピースを誕生祝いやクリスマスの祝賀用などの目的に適合する華やかなデザインにすることにより、収容物を取り出した後の空の箱を立体的な装飾物として有効に再利用することができる。なお、打抜きピースは、ブランクの内フラップ用、外フラップ用のいずれのフラップにも形成可能であるが、内フラップ用のフラップに形成すれば、打抜きピースの除去後の開口部が再利用中の空の箱の外部から見えることがなく、外観を損なうおそれがない。
【００１０】
一対の打抜きピースは、それぞれの上向きのスリット、下向きのスリットを介して互いに交差させるように組み合わせることにより、一対の把手上に一層安定に装着することができる。
【００１１】
上面用の平面に形成する引起し可能な装飾ピースは、把手上に装着する打抜きピースと相俟って、全体として一層豪華な雰囲気を創出することができる。
【００１２】
フラップに形成する装飾用の打抜きピースは、上面用の平面に形成する抜孔に脚部を挿入して起立させることができ、全体としての外観を一層華やかにすることができる。
【００１３】
ブランクの上面用の平面に添付する裏打ち紙は、把手や装飾ピースを引き起した後の開口部を内側から塞ぎ、外観の向上を図ることができる。なお、裏打ち紙は、把手や装飾ピースの部分を除くそれ以外の部分を利用して上面用の平面の裏面側に貼着するものとする。また、裏打ち紙には、装飾用の打抜きピースを立てる抜孔の部分に対応する補助孔をあらかじめ形成しておくものとする。
【００１４】
【発明の実施の形態】
以下、図面を以って発明の実施の形態を説明する。
【００１５】
包装用紙器は、立体的な箱２０に組み立てるブランク１０に対し、一対の引起し可能な把手３１、３１、一対の取外し可能な打抜きピース３２、３２を形成してなる（図１、図２）。
【００１６】
箱２０は、上面２１、底面２２、左右の側面２３、２３、前後のつま面２４、２４から構成される組立箱である。ただし、前後のつま面２４、２４は、それぞれ左右の大小の内フラップ２４ａ、２４ｂ、上下の大小の外フラップ２４ｃ、２４ｄを介して閉じられている。そこで、ブランク１０は、上面２１用の平面１１、底面２２用の平面１２、側面２３、２３用の平面１３、１３を交互に連結し、内フラップ２４ａ、２４ｂ用の大小のフラップ１４、１５を各平面１３の両側に逆方向に形成し、外フラップ２４ｄ、２４ｄ用の小さなフラップ１６、１６を平面１１の両側に形成し、外フラップ２４ｃ、２４ｃ用の大きなフラップ１７、１７を平面１２の両側に形成して構成されている。
【００１７】
ブランク１０の各平面１１、１２、１３、各フラップ１４、１５、１６、１７は、縦横の折曲げ用の罫線１８、１８…を介して区分されており、上面２１用の平面１１には、裏面側から裏打ち紙１９が添付されている。また、底面２２用の平面１２には、罫線１８を介してのり付け用の舌片１２ａが付設されている。各フラップ１６には、罫線１８を介して差込み用の舌片１６ａが形成され、各フラップ１７には、罫線１８を介し、舌片１６ａを差し込む門形の切込線１７ａが形成されている。そこで、箱２０は、内フラップ２４ａ、２４ｂを閉じ、外フラップ２４ｃ、２４ｄを閉じて外フラップ２４ｄの舌片１６ａを外フラップ２４ｃの切込線１７ａに対して外側から差し込むことにより、各つま面２４を閉じることができる。
【００１８】
把手３１、３１は、ブランク１０の上面２１用の平面１１に対し、それぞれ相対向する略半円弧状に対称形に形成されており、両端の罫線１８、１８を介し、互いに平行に引き起して起立させることができる。なお、平面１１には、各把手３１の上端部に位置するようにして指掛け用の切欠き３１ａが形成され、各把手３１には、切欠き３１ａの両側に対称的に位置するようにして、一対の上向きのスリット３１ｂ、３１ｂが形成されている。また、平面１１には、引起し可能な装飾ピース３３が形成されている。ただし、装飾ピース３３は、基端の罫線１８を介し、把手３１、３１と平行に引き起して起立させ得るものとする。さらに、平面１１には、小さな長方形の抜孔３４、３４…が分散して形成されている。
【００１９】
上面２１用の平面１１に添付する裏打ち紙１９は、平面１１とほぼ同形に裁断され、把手３１、３１、装飾ピース３３に対応しない部分を平面１１の裏面側に貼着することにより、平面１１の裏面側に添付されている（図３）。すなわち、裏打ち紙１９は、把手３１、３１、装飾ピース３３を引き起した後の開口部を箱２０の内側から塞ぐことができる。ただし、裏打ち紙１９には、平面１１上の抜孔３４、３４…に対応するようにして、各抜孔３４より一回り大きな長方形の補助孔１９ａ、１９ａ…が形成されており、各抜孔３４は、対応する補助孔１９ａを介して平面１１、裏打ち紙１９の上下に貫通している。
【００２０】
ブランク１０の打抜きピース３２、３２は、大きい方の内フラップ２４ａ、２４ａ用のフラップ１４、１４に対し、全周を破断した切込線で囲むことにより、手指だけで簡単に取外し可能に形成されている（図１、図２）。各打抜きピース３２には、把手３１、３１の各一方の上向きのスリット３１ｂ、３１ｂに共通に対応する一対の下向きのスリット３２ａ、３２ａが形成され、さらに、互いに組合せ可能な上向きのスリット３２ｂ、下向きのスリット３２ｂがそれぞれに形成されている。また、小さい方の内フラップ２４ｂ、２４ｂ用のフラップ１５、１５には、それぞれ小さな取外し可能な装飾用の打抜きピース３５、打抜きピース３５、３５が形成されている。各打抜きピース３５には、下向きの脚部３５ａが付属して形成されている。
【００２１】
ブランク１０は、のり付け用の舌片１２ａを利用して２つ折りに接着して用意しておき、必要に応じて、一方のつま面２４の内フラップ２４ａ、２４ｂ、外フラップ２４ｃ、２４ｄをこの順に折り重ねることにより、他方のつま面２４が開放されている立体的な箱２０に組み立てることができる。そこで、開放されている側のつま面２４から収容物を収納し、そのつま面２４の内フラップ２４ａ、２４ｂ、外フラップ２４ｃ、２４ｄを折り重ね、把手３１、３１を引き起すことにより、把手３１、３１をつかんで全体を自在に持ち運ぶことができる。
【００２２】
つづいて、一方のつま面２４の外フラップ２４ｄ、２４ｃ、内フラップ２４ａ、２４ｂを開いて収容物を取り出した後、空の箱２０の内フラップ２４ａ、２４ａ、２４ｂ、２４ｂから打抜きピース３２、３２、３５、３５…を取り外し、箱２０を再組立する。打抜きピース３２、３２は、それぞれの上向き、下向きのスリット３２ｂ、３２ｂを互いに対応させ（図２、図４）、スリット３２ｂ、３２ｂの最奥部が互いに当接するように十字状に交差させて組み合わせ、それぞれの下向きのスリット３２ａ、３２ａを各把手３１の上向きのスリット３１ｂ、３１ｂの一方ずつに斜めに対応させ、各スリット３２ａ、３１ｂの最奥部が互いに当接するように組み合わせることにより、把手３１、３１上に共通に安定に起立させて装着することができる。このときの打抜きピース３２、３２は、スリット３２ａ、３２ａ…、３１ｂ、３１ｂ…を介し、把手３１、３１に対して相対移動不能に拘束されるからである。
【００２３】
なお、図５（Ａ）は、図４の矢視Ｘ相当の一部破断要部拡大図であり、同図（Ｂ）は、同図（Ａ）のＹ−Ｙ線矢視断面図である。把手３１、３１上の起立状態の打抜きピース３２、３２は、把手３１、３１を介して上面２１との間に間隙ｄを形成し、十分高く安定に直立させることができる。
【００２４】
また、各装飾用の打抜きピース３５は、脚部３５ａを上面２１の抜孔３４に挿入して起立させることができ（図２、図４）、上面２１の装飾ピース３３は、そのまま起立させて使用することができる。なお、打抜きピース３２、３２、３５、３５…は、装飾ピース３３や、箱２０の外装とともに、たとえばバースデーケーキ用、クリスマスケーキ用などの収容物に応じて、それぞれの外形、模様、色彩などを適切にデザインするものとする。
【００２５】
以上の説明において、ブランク１０上の各打抜きピース３２、３５は、内フラップ２４ａ、２４ｂ用のフラップ１４、１５に形成する他、外フラップ２４ｃ、２４ｄ用のフラップ１６、１７や、底面２２用の平面１２にも形成することができる。ただし、打抜きピース３２、３５は、箱２０の上面２１において適切な装飾効果を実現し得るように、その大きさや、形状、個数等を任意に定めてよいものとする。また、底面２２用の平面１２に打抜きピース３２、３５を形成するときは、箱２０に収納する収容物の重量に対し、底面２２の強度が過大に弱くならないことが必要条件である。
【００２６】
なお、箱２０に収納する収容物は、バースデーケーキや、クリスマスケーキなどの他、ピザや、すしなどの持帰り用の食品、人形、おもちゃ、ゲームソフトなどの遊戯用具等を含む任意の商品であり、箱２０の大きさ、形状も、収容物に合わせて任意に定めることができる。
【００２７】
【発明の効果】
以上説明したように、この発明によれば、ブランクの上面用の平面に持運び用の把手を形成し、ブランクのフラップに取外し可能な打抜きピースを形成することによって、打抜きピースは、箱の上面の把手上に起立させて装着することができるから、収容物を取り出した後の空の箱を興趣に富む立体的な華やかな雰囲気の装飾物として有効に再利用することができるという優れた効果がある。
【図面の簡単な説明】
【図１】ブランクの展開図
【図２】全体組立分解斜視図
【図３】要部拡大斜視図
【図４】全体組立斜視図
【図５】図４の要部拡大説明図
【符号の説明】
１０…ブランク
１１…平面
１４、１５…フラップ
１９…裏打ち紙
２０…箱
２１…上面
３１…把手
３２、３５…打抜きピース
３１ｂ、３２ａ、３２ｂ…スリット
３５ａ…脚部
３３…装飾ピース
３４…抜孔
【図１】
2004035098.tif 000003
【図２】
2004035098.tif 000004
【図３】
2004035098.tif 000005
【図４】
2004035098.tif 000006
【図５】
2004035098.tif 000007